(57)【要約】【課題】  遊技領域の上部に大入賞口を配設する構成において、発射装置から発射された遊技球の速度を減速させ、該遊技球を大入賞口方向へ誘導することができるパチンコ機を提供する。【解決手段】  遊技領域２の下部に図柄表示装置３を配設し、図柄表示装置３の上側に始動入賞口６を配設し、始動入賞口６の上側に大入賞口７を配設する。大入賞口７の左右両部の上側に調整釘２０ａ〜２０ｃ、２１ａ〜２１ｃを植設する。最も中心寄りの調整釘２０ｃと２１ｃの間であり、且つ、調整釘２０ｃ、２１ｃよりも上側で、さらに遊技領域２に打ち込まれた遊技球が遊技領域２に設けられている他の部材に衝突することなく、直接衝突し得る位置に減速誘導部材９を設ける。減速誘導部材９は遊技球よりも弾性率の小さいゴム材により構成する。減速誘導部材９との衝突により遊技球の速度を減速させ、減速誘導部材９により形成される傾斜面によって遊技球を調整釘方向へ誘導する。【選択図】    図１
2006006829.tif 000002
【特許請求の範囲】
【請求項１】
発射装置から打出された遊技球を誘導する略円弧状のレールによって形成された遊技盤上の遊技領域に、少なくとも始動入賞口と図柄表示装置と大入賞口とを備え、前記始動入賞口への遊技球の入賞に基づいて前記図柄表示装置に図柄の変動表示および停止表示を行ない、停止表示された図柄の組み合わせが予め定められた特定の組み合わせ図柄であるときに、前記大入賞口の開閉扉を所定時間連続して遊技球の入賞し易い開放状態とし、遊技者にとって有利な特別遊技状態を発生させるパチンコ機において、
前記遊技領域の下部に前記図柄表示装置を配設し、該図柄表示装置の上側に前記始動入賞口を配設すると共に、該始動入賞口の上側に前記大入賞口を配設し、
該大入賞口の開閉扉の上側に、遊技球の流下方向を最終的に前記大入賞口または大入賞口以外の方向へ分流する複数本の調整釘を植設し、
前記複数本の調整釘のうち、前記大入賞口の開閉扉の最も中心寄りに植設されている調整釘よりもさらに中心寄りであり、且つ、該調整釘よりも上側に、前記発射装置から発射された遊技球の速度を衝突によって減速させると共に、該遊技球を前記調整釘の方向へ誘導する減速誘導部材を設けたことを特徴とするパチンコ機。
【請求項２】
前記複数本の調整釘は、前記大入賞口の開閉扉の左右両部の上側に植設され、前記減速誘導部材は、前記左右の複数本の調整釘のうち、前記大入賞口の開閉扉の最も中心寄りに植設されている調整釘と調整釘との間であり、且つ、該調整釘よりも上側に設けられていることを特徴とする請求項１に記載のパチンコ機。
【請求項３】
前記減速誘導部材は、左下がり傾斜面と右下がり傾斜面から構成されることを特徴とする請求項１に記載のパチンコ機。
【請求項４】
前記減速誘導部材は、遊技球よりも弾性率の小さいゴム材からなることを特徴とする請求項１から３のいずれかに記載のパチンコ機。
【請求項５】
前記減速誘導部材は、発射装置から発射された遊技球が、遊技領域に設けられた他の部材に衝突することなく、直接衝突可能な位置に配設されていることを特徴とする請求項１から４のいずれかに記載のパチンコ機。
【発明の詳細な説明】
【技術分野】
【０００１】
本発明は、発射装置から発射された遊技球の速度を減速させ、該遊技球を所定の領域に誘導するための減速誘導部材を設けたパチンコ機に関するものである。
【背景技術】
【０００２】
従来より、遊技領域の略中央部には液晶表示器からなる図柄表示装置を備え、また遊技領域の下部には所定の条件が成立すると一定時間、開放状態となる大入賞口を備えたパチンコ機はよく知られている。また、そのような構成を有するパチンコ機も含め、発射装置から遊技領域に打ち込まれた遊技球の速度を減速させる手段として、遊技領域の上部右端に返しゴムを設けたパチンコ機が知られている。この返しゴムは、勢いよく遊技領域に打ち込まれた遊技球を、遊技領域内の一定方向（主に遊技領域の中央部）に跳ね返して、無駄球を減少させる機能を有する部材である。
【０００３】
しかし、この返しゴムは、発射装置から勢いよく遊技領域の右端まで打ち出された遊技球を跳ね返すためにのみ機能するものであった。また、遊技球が勢いよく衝突するため、長期に亘って使用した場合には返しゴムの位置決め部材が破損する可能性が高いという虞もあった。そこで返しゴムの位置決め部材の破損の虞を解消するものとして特許文献１には、返しゴムの形状や取付孔等に改良を加えたものが開示されている。図５は、特許文献１に開示されたパチンコ機の一形態を示す図である。パチンコ機５１は従来の一般的なパチンコ機と同様に、遊技領域５２の略中央部に図柄表示装置５４を備え、図柄表示装置５４の下側であって遊技領域５２の下部に大入賞口５５を備えた構成を有している。そして、直方体形状からなり、左右の中心線上に略同径の複数の取付孔を有した返しゴム５３を、飾り部材５６の上端縁に突設された各取付孔よりも大径の位置決めピンに返しゴム５３の各取付孔を挿通させた状態で設置している。
【０００４】
【特許文献１】特開平１１−９０００３号公報
【発明の開示】
【発明が解決しようとする課題】
【０００５】
しかしながら、特許文献１の発明は、返しゴムの位置決め部材の破損を防止する構成としては有効であったが、返しゴムとして機能する点については従来と相違するところはなく、発射装置から勢いよく遊技領域の右端まで打ち出された遊技球を跳ね返すためにのみ機能するものであった。従って、遊技者が通常の遊技状態で遊技球の到達位置としてよく狙う、いわゆる天釘周辺へ打ち込まれる遊技球に対しては、返しゴムが作用することはなく、これらの遊技球の速度を減速させる手段として機能することはなかった。このような天釘周辺へ打ち込まれる遊技球に対して速度を減速させる手段として機能しないことは、特許文献１にも開示される、図５に示すような構成を有するパチンコ機、即ち、遊技領域５２の略中央部に図柄表示装置５４を備え、図柄表示装置５４の下側であって遊技領域５２の下部に大入賞口５５を備えたパチンコ機では、大入賞口５５が下部に配設されており遊技領域５２を流下する遊技球は流下途中で他の部材と衝突および接触し、大入賞口５５の近傍に達したときには遊技球の流下速度が十分減速されるため、遊技球の誘導は容易であり特に問題となることはなかった。しかし、例えば、遊技領域の上部に大入賞口が配設される構成のパチンコ機では、大入賞口の近傍に達したときの遊技球の流下速度は十分に減速されないため、天釘周辺へ打ち込まれる遊技球に対して速度を減速させる手段として機能しないことは、遊技球を大入賞口方向へ誘導することができないという不具合があった。
【０００６】
そこで、本願発明はこのような事情に鑑みてなされたものであり、遊技領域の上部に大入賞口を配設する構成を有し、発射装置から発射された遊技球の速度を減速させ、該遊技球を大入賞口方向へ誘導することができるパチンコ機の提供を目的とするものである。
【課題を解決するための手段】
【０００７】
上記課題を解決するために、請求項１に係るパチンコ機の発明は、発射装置から打出された遊技球を誘導する略円弧状のレールによって形成された遊技盤上の遊技領域に、少なくとも始動入賞口と図柄表示装置と大入賞口とを備え、前記始動入賞口への遊技球の入賞に基づいて前記図柄表示装置に図柄の変動表示および停止表示を行ない、停止表示された図柄の組み合わせが予め定められた特定の組み合わせ図柄であるときに、前記大入賞口の開閉扉を所定時間連続して遊技球の入賞し易い開放状態とし、遊技者にとって有利な特別遊技状態を発生させるパチンコ機において、前記遊技領域の下部に前記図柄表示装置を配設し、該図柄表示装置の上側に前記始動入賞口を配設すると共に、該始動入賞口の上側に前記大入賞口を配設し、該大入賞口の開閉扉の上側に、遊技球の流下方向を最終的に前記大入賞口または大入賞口以外の方向へ分流する複数本の調整釘を植設し、前記複数本の調整釘のうち、前記大入賞口の開閉扉の最も中心寄りに植設されている調整釘よりもさらに中心寄りであり、且つ、該調整釘よりも上側に、前記発射装置から発射された遊技球の速度を衝突によって減速させると共に、該遊技球を前記調整釘の方向へ誘導する減速誘導部材を設けたことを特徴とするものである。
【０００８】
また、請求項２に係るパチンコ機の発明は、請求項１に記載の発明において、前記複数本の調整釘は、前記大入賞口の開閉扉の左右両部の上側に植設され、前記減速誘導部材は、前記左右の複数本の調整釘のうち、前記大入賞口の開閉扉の最も中心寄りに植設されている調整釘と調整釘との間であり、且つ、該調整釘よりも上側に設けられていることを特徴とするものである。
【０００９】
また、請求項３に係るパチンコ機の発明は、請求項１に記載の発明において、前記減速誘導部材は、左下がり傾斜面と右下がり傾斜面から構成されることを特徴とするものである。
【００１０】
また、請求項４に係るパチンコ機の発明は、請求項１から３のいずれかに記載の発明において、前記減速誘導部材は、遊技球よりも弾性率の小さいゴム材からなることを特徴とするものである。
【００１１】
また、請求項５に係るパチンコ機の発明は、請求項１から４のいずれかに記載の発明において、前記減速誘導部材は、発射装置から発射された遊技球が、遊技領域に設けられた他の部材に衝突することなく、直接衝突可能な位置に配設されていることを特徴とするものである。
【発明の効果】
【００１２】
本発明に係るパチンコ機によれば、発射装置から発射された遊技球を誘導部材に衝突させることにより遊技球の速度を減速させることができると共に、その遊技球を大入賞口の左右の上側に植設されている調整釘方向に流下させることができ、遊技領域の上部に大入賞口が配設される構成においても、大入賞口への遊技球の入賞確率を左右する前記調整釘の釘調整を容易に行なうことができる。また、図柄表示装置、大入賞口等の従来にない遊技領域上の配置により、遊技者の興趣を高めることができる。
【発明を実施するための最良の形態】
【００１３】
以下、本発明に係るパチンコ機の実施の形態を添付図面に基づいて説明する。
図１は、パチンコ機に取り付けられる遊技盤の一形態を示す正面図である。
この遊技盤１は、遊技領域２の下部にいわゆる役物として図柄（数字や絵柄等）を変動表示および停止表示させる図柄表示装置３を備えた第１種のパチンコ機の遊技盤１である。ハンドルグリップの回転操作に伴ない発射装置から発射された遊技球が、所定入賞口へ入賞すると、その入賞に基づき変動パターンの抽選が行なわれ、選択された変動パターンの図柄が図柄表示装置２に所定時間変動表示される。また、抽選によって選択された図柄が、前記所定時間の変動表示後に停止表示される。そして、停止表示された図柄が予め定められた特定の組み合わせ図柄の場合に、大入賞口７の開閉扉が一定時間連続して開放し遊技球の入賞し易い状態となって短時間で多くの賞球を得ることが可能となり、遊技者に有利な特別遊技状態（大当たり状態）が発生する。
【００１４】
遊技盤１には、発射装置から打出された遊技球を誘導する略円弧状の外レール８ａ及び内レール８ｂが設けられ、この二つのレール８ａと８ｂによって囲まれた部分が遊技領域２を形成している。レールによって誘導された遊技球は、遊技領域２に達し流下する。また、流下する遊技球が遊技領域２に設けられている入賞口に入賞する等の所定の条件を満たすと賞球が払い出される。遊技領域２の下部には図柄表示装置３が設けられており、この図柄表示装置３には、抽選によって選択された変動パターンの図柄が変動表示される可変表示部５が設けられている。また、可変表示部５は、左表示部５ａ、中表示部５ｂ、右表示部５ｃの３つの表示部から構成されており、それぞれの表示部には、抽選によって選択された図柄が停止表示される。
【００１５】
図柄表示装置３の上側には始動入賞口６が設けられており、この始動入賞口６への遊技球の入賞に基づいて可変表示部５に図柄の変動表示動作が開始される。始動入賞口６には開閉動作を行なう羽根６ａ、６ｂが設けられており、始動入賞口６の左右上方向に設けられた通過ゲート１０ａ、１０ｂへの遊技球の通過に基づいて、羽根６ａ、６ｂが所定時間だけ開放状態となり始動入賞口６へ遊技球が入賞し易い状態となる。
【００１６】
始動入賞口６の上側には、可変表示部５ａ〜５ｃに特定の図柄が停止表示したとき、例えば、「７」、「７」、「７」のように同じ図柄が３つ停止表示して、いわゆる大当たり状態が発生したときに一定時間継続して開放状態となる大入賞口７が設けられている。大入賞口７の配設される位置は、遊技領域２内において少なくとも図柄表示装置３および始動入賞口６よりも上側であることが必要とされる。さらに限定するならば、遊技領域２の上部であること、例えば、遊技領域２の上半分の領域のいずれかの位置、あるいは遊技領域２の上３分の１の領域のいずれかの位置に配設される。また、大入賞口７の内部にはＶ入賞ゾーンが設けられており、大当り遊技のラウンド中に大入賞口７へ入賞した遊技球がこのＶ入賞ゾーンを通過すると、そのラウンドの終了後、一端、閉状態となった大入賞口７が再度開放状態となり次のラウンドが開始される。尚、図１における大入賞口７は、遊技球の入賞できない閉鎖状態が示されている。
【００１７】
また、大入賞口７の下部には、大入賞口７が閉鎖状態になっているときに大入賞口７の前面側を流下する遊技球の流下速度を減速させ、その遊技球を始動入賞口６方向へ誘導する傘状の誘導部材１１が設けられている。流下してくる遊技球を誘導部材１１の傾斜面で受けて遊技球の速度を減速させる。傾斜面は傘状に真中部分を高くして左右に傾斜しており、この傾斜面に沿って遊技球を左右両側方向へ誘導した後に、釘間を流下させることで始動入賞口６方向へ遊技球を誘導している。
【００１８】
大入賞口７の上側には、発射装置から発射された遊技球の速度を減速させると共に、その減速させた遊技球を所定の方向へ誘導するための減速誘導部材９が設けられている。減速誘導部材９は、遊技領域２に固定されるベース部材と、ベース部材に取り付けられた弾性部材から構成されている。弾性部材は遊技球よりも弾性率の低い部材からなるため、発射装置から遊技領域２に打ち込まれた遊技球が弾性部材に衝突すると遊技球の速度は減速する。減速誘導部材９の構成については後述する。
【００１９】
また、始動入賞口６の左右両側、および大入賞口７の左右両側には、遊技球の流下方向変更部材としての風車１２、１３が設けられている。また、図柄表示装置３の下側には、遊技領域２を流下していずれの入賞口にも入賞しなかった遊技球、いわゆる外れ球が排出されるアウト口１４が設けられている。さらに、遊技領域２全体には、遊技球の流下速度を減速させると共に、遊技球を所定の方向へ誘導するための釘１５が植設されている。
【００２０】
図２は、減速誘導部材９の周辺部を示す部分拡大図である。尚、減速誘導部材９の下側に設けられている大入賞口７は開閉扉７ａが開放されている時の状態を示している。
大入賞口７の左右両部の上側には、調整釘２０ａ、２０ｂ、２０ｃ、２１ａ、２１ｂ、２１ｃが植設されている。ここにいう調整釘とは、遊技球の流下方向を最終的に大入賞口７または大入賞口７以外の方向（例えば、図中の矢印Ｌ方向または矢印Ｍ方向）へ分類する釘のこと、即ち、遊技球を大入賞口７の方向に流下させるか、あるいは大入賞口７以外の方向に流下させるかを直接的に決定する釘のことをいう。調整釘は複数本ずつ植設されており、この調整釘の傾き具合、開き具合、締め具合の調整によって、開放状態となったときの大入賞口７へ入賞する遊技球の確率（入賞率）が左右される。
【００２１】
図２に示す形態では、調整釘２０ａ、２０ｂ、２０ｃ、調整釘２１ａ、２１ｂ、２１ｃのうち、それぞれ大入賞口７の中央部寄りの調整釘２０ｃと２１ｃが開閉扉７ａの上側に植設され、次に中央部寄りの調整釘２０ｂと２１ｂが開閉扉７ａの左右両側端部の上側に植設され、最も中央寄りでない調整釘２０ａと２１ａが大入賞口７の左右両側端部の上側に植設されている。但し、調整釘２０ａ、２０ｂ、２０ｃ、調整釘２１ａ、２１ｂ、２１ｃの植設される位置はこの形態に限定されるものではなく、少なくとも大入賞口７の中央部寄りの調整釘２０ｃと２１ｃが開閉扉７ａの上側に植設されていればよい。従って、例えば、調整釘２０ａ、２０ｂ、調整釘２１ａ、２１ｂも開閉扉７ａの上側に植設する形態であっても、また、調整釘２０ａ、２０ｂ、調整釘２１ａ、２１ｂを開閉扉７ａよりも外側あるいは大入賞口７よりも外側に植設する形態であってもよい。
【００２２】
尚、図２に示す形態では、調整釘２０ａ、２０ｂ、２０ｃ、および調整釘２１ａ、２１ｂ、２１ｃの配置は、大入賞口が遊技領域の下部に配設される従来の構成のパチンコ機の、大入賞口の左右両部の上側に植設される調整釘の配置と同じ配置になっている。これにより、調整釘付近を流下する遊技球の流下速度を減速誘導部材９によって減速させて、従来の大入賞口が遊技領域の下部に配設される構成の大入賞口付近を流下する遊技球の速度と同等にすることで、調整釘の調整を従来の釘調整と同じように行なうことができる。
【００２３】
また、上記調整釘は、必ずしも大入賞口７の左右両部の上側に植設されていなければならないわけではなく、例えば、図２において左側の調整釘２０ａ、２０ｂ、２０ｃのみが植設される形態であっても、また右側の調整釘２１ａ、２１ｂ、２１ｃのみが植設される形態であってもよい。この形態の場合であっても、少なくとも大入賞口７の中央部寄りの調整釘が開閉扉７ａの上側に植設されるようにする。
【００２４】
減速誘導部材９は、大入賞口７の左右両部の上側に植設された複数本の調整釘のうちの最も中心寄りに植設されている調整釘２０ｃと２１ｃとの間であって、且つ、調整釘２０ｃ、２１ｃの位置よりも上側に設けられている。さらに、減速誘導部材９は、発射装置から遊技領域２に打ち込まれた遊技球が、遊技領域２に設けられている他の部材に衝突あるいは接触することなく、減速誘導部材９に直接衝突し得る位置に設けられている。減速誘導部材９を構成するベース部材９ａは、ビス等の固定部材によって遊技領域２の基板となっている遊技盤１に固定されている。また、減速誘導部材９を構成する弾性部材９ｂと９ｃは、左下がり傾斜面と右下がり傾斜面を形成した状態でベース部材９ａに取り付けられている。発射装置から発射された遊技球が減速誘導部材９に、正確には減速誘導部材９を構成する弾性部材９ｂ、９ｃに衝突することによって、遊技球の速度は減速する。そしてその減速した遊技球を弾性部材９ｂおよび９ｃが形成する傾斜面によって調整釘２０ａ、２０ｂ、２０ｃ、および調整釘２１ａ、２１ｂ、２１ｃ方向へ誘導し流下させる。
【００２５】
但し、上記図２において左側の調整釘２０ａ、２０ｂ、２０ｃのみが植設される形態、または右側の調整釘２１ａ、２１ｂ、２１ｃのみが植設される形態の場合には、減速誘導部材９に２つの弾性部材９ｂと９ｃを設ける必要はなく、先の形態では左下がり傾斜面を形成する弾性部材９ｂのみを設ければよく、後に形態では、右下がり傾斜面を形成する弾性部材９ｃのみを設ければよい。また、減速誘導部材９は、複数本の調整釘（２０ａ、２０ｂ、２０ｃまたは２１ａ、２１ｂ、２１ｃ）のうち、大入賞口７の開閉扉７ａの最も中心寄りに植設されている調整釘２０ｃまたは２１ｃよりもさらに中心寄りであり、且つ、その調整釘よりも上側に設けられる。
【００２６】
減速誘導部材９の右上側には、いわゆる天釘２２が植設されている。また、減速誘導部材９の上側には釘２３が植設されており、天釘２２ａと釘２３によって、遊技者が遊技球を打ち込む領域として最もよく狙う領域、この形態では天枠２２ａ−２３という、を形成している。遊技球の流下経路の一形態を遊技球Ａと遊技球Ｂ、およびそれに付した矢印によって示す。遊技球Ａの流下経路は、発射装置から発射された遊技球を直接、弾性部材９ａに衝突させたときの経路である。弾性部材９ａに衝突した遊技球は減速し、弾性部材９ａの形成する左下がり傾斜面によって調整釘２０ａ〜２０ｃ方向へ誘導され、調整釘２０ａと２０ｂ間あるいは調整釘２０ｂと２０ｃ間を通過し、調整釘２０ａと２０ｂ間を通過した場合には大入賞口７に入賞し、調整釘２０ｂと２０ｃ間を通過した場合には大入賞口７には入賞せずに、さらに遊技領域２を流下する。
【００２７】
遊技球Ｂの流下経路は、発射装置から発射された遊技球を天枠２２ａ−２３に打ち込むように狙った経路である。遊技球が天枠２２ａ−２３を通過して弾性部材９ｃに衝突すると、遊技球の速度は減速され、弾性部材９ｂの形成する右下がり傾斜面によって調整釘２１ａ〜２１ｃ方向へ誘導され、調整釘２１ａと２１ｂ間あるいは調整釘２１ｂと２１ｃ間を通過し、調整釘２１ａと２１ｂ間を通過した場合には大入賞口７に入賞し、調整釘２１ｂと２１ｃ間を通過した場合には大入賞口７には入賞せずに、さらに遊技領域２を流下する。また、図示は省略するが、遊技球Ｂのように天枠２２ａ−２３に打ち込むように狙った遊技球が、天枠２２ａ−２３を通過しないで天釘２２ａあるいは釘２３に衝突して左方向へ跳ね、弾性部材９ｂに衝突する経路では、弾性部材９ｂとの衝突によって遊技球の速度は減速し、弾性部材９ｂの形成する左下がり傾斜面によって遊技球は調整釘２０ａ〜２０ｃ方向へ誘導され、その後は上記遊技球Ａと同様の流下経路を通る。
【００２８】
以上のことから、大入賞口７と減速誘導部材９との位置関係は、減速誘導部材９は、発射装置から発射された遊技球が遊技領域２に配置された他の部材に衝突することなく、直接、減速誘導部材９に衝突する位置に配設され、その誘導部材の真下に大入賞口７が設けられる。そして、大入賞口７は、遊技領域２内において少なくとも図柄表示装置３および始動入賞口６よりも上側に設置される。
【００２９】
図３（ａ）は、減速誘導部材９の分解図であり、図３（ｂ）は、ベース部材９ａと弾性部材９ｂ、９ｃの取り付け状態を示す図である。
図３（ａ）に示すように、ベース部材９ａは概略三角形状を有している。その一辺には、減速誘導部材９の左下がり傾斜面を形成する弾性部材９ｂを取り付けるための取付部分９ｂ'が形成され、他の一辺には、減速誘導部材９の右下がり傾斜面を形成する弾性部材９ｃを取り付けるための取付部分９ｃ'が形成されている。また、ベース部材９ａには、減速誘導部材９を遊技領域２に固定するための固定部分９ｄが形成されている。弾性部材９ｂ、９ｃをベース部材９ａに取り付ける手段としては、図（ｂ）に示されるように、取付部分９ｂ'、９ｃ'に形成された円柱状のリブ３０に弾性部材９ｂ、９ｃに形成されたリブ合わせ部分３１を嵌入させている。このとき弾性部材９ｂ、９ｃに衝突した遊技球が取付部分９ｂ'、９ｃ'に接触しないように、取付部分９ｂ'、９ｃ'の厚さは２ｍｍ程度であることが望ましい。
【００３０】
取付部材９ｂ'、９ｃ'を含むベース部材９ａは、樹脂材によって形成されている。また、弾性部材９ｂ、９ｃは、遊技球よりも弾性率の小さいゴム材によって形成されている。係るゴムとしては、クロロプレンゴム、ブタジエンゴム、スチレンとエチレンとブテンのゴム共重合体、ポリプロピレン等が使用される。衝突による遊技球の減速は、弾性部材９ｂ、９ｃに使用されるゴムの種類、即ち、ゴムの弾性率によって決定される。従って、実際に遊技を行ない、弾性部材９ｂ、９ｃの作用によって調整釘２０ａ、２０ｂ、２０ｃ、および調整釘２１ａ、２１ｂ、２１ｃ方向へ誘導される遊技球の速度から、使用するゴムの種類を決定する。使用するゴムの種類を決定する一形態としては、図２に示す遊技球Ｂの流下経路のように、天枠２２ａ−２３を狙って発射された遊技球が、天枠２２ａ−２３を通過せずに天釘２２ａまたは釘２３に跳ね返った後、弾性部材９ｂに衝突し、弾性部材９ｂにより形成された傾斜面によって調整釘２０ａ〜２０ｃ方向へ誘導されるときの、調整釘２０ａ〜２０ｃ付近の遊技球の流下速度を基に弾性部材９ｂのゴムの種類を決定する。
【００３１】
また、遊技球Ｂの流下経路のように、天枠２２ａ−２３を狙って発射された遊技球が、天枠２２ａ−２３を通過した後、弾性部材９ｃに衝突し、弾性部材９ｃにより形成された傾斜面によって調整釘２１ａ〜２１ｃ方向へ誘導されるときの、調整釘２１ａ〜２１ｃ付近の遊技球の流下速度を基に弾性部材９ｃのゴムの種類を決定する。あるいは、図２に示す遊技球Ａの流下経路のように、遊技球を直接、弾性部材９ｂに衝突させた後、弾性部材９ｂにより形成された傾斜面によって調整釘２０ａ〜２０ｃ方向へ誘導するときの、調整釘２０ａ〜２０ｃ付近の遊技球の流下速度を基に弾性部材９ｂのゴムの種類を決定する。
【００３２】
尚、ベース部材９ａの形状はこの形態に示す三角形状に限定されるものではなく、弾性部材９ｂ、９ｃを取り付けたときに弾性部材９ｂ、９ｃによって遊技球を調整釘２０ａ、２０ｂ、２０ｃ、および調整釘２１ａ、２１ｂ、２１ｃの方向へ誘導できる傾斜面を形成することができるものであればよい。
【００３３】
図４は、大入賞口７の周辺部を示す拡大図であり、大入賞口７の開閉扉７ａが閉鎖状態となっている時の、遊技球が流下する様子を示している。
開閉扉７ａが閉鎖状態になっているときは，調整釘２０ｂと２０ｃ間、あるいは調整釘２１ｂと２１ｃ間を通過した遊技球も大入賞口７の前面側を流下可能な状態となり、例えば、図の矢印に示すような経路で流下する。大入賞口７の下部には、傘状に大入賞口７の中央から左右方向へ下り傾斜する面を有した誘導部材１１が形成されている。誘導部材１１は、大入賞口７の前面から前方向へ突出した傾斜面からなり、図の矢印の経路で流下した遊技球は、誘導部材１１によって受けられる。また、誘導部材１１は遊技球よりも弾性率の小さい部材から構成されているため、誘導部材１１によって受けられた遊技球の速度は減速する。減速した遊技球はこの傾斜面に沿って大入賞口７の左右方向へ誘導された後、釘間を流下する。この誘導部材１１によって遊技球の速度を減速させ、大入賞口７の左右方向へ誘導することにより、植設された釘によって流下する遊技球を大入賞口７の下側に配設されている始動入賞口６方向へ誘導し易くしている。
【００３４】
尚、大入賞口７が開放している状態、即ち、図２に示す状態では、調整釘２０ｂと２０ｃ間、あるいは調整釘２１ｂと２１ｃ間を通過した遊技球は、大入賞口７の開閉扉７ａによって受けられて大入賞口７内に入賞するため、大入賞口７の前面側を遊技球が流下することはない。但し、大入賞口７が開放している状態においても、遊技球は大入賞口７の左右方向から誘導部材１１上に飛び込んでくるため、誘導部材１１はそのような遊技球の速度を減速させ、誘導し、始動入賞口６方向へ誘導する部材としても機能する。
【図面の簡単な説明】
【００３５】
【図１】本発明に係るパチンコ機の遊技盤の正面図の一形態を示す図である。
【図２】図１に示すパチンコ機の減速誘導部材の周辺を示す部分拡大図である。
【図３】（ａ）は、減速誘導部材の分解図である。（ｂ）は、減速誘導部材を構成するベース部材と弾性部材の取り付け状態を示す図である。
【図４】大入賞口に設けられた誘導部材の機能を示す図である。
【図５】従来のパチンコ機の一形態を示す図である。
【符号の説明】
【００３６】
２  遊技領域
３  図柄表示装置
６  始動入賞口
７  大入賞口
９  減速誘導部材
９ａ  ベース部材
９ｂ、９ｃ  弾性部材
２０ａ〜２０ｃ、２１ａ〜２１ｃ  調整釘
【図１】
2006006829.tif 000003
【図２】
2006006829.tif 000004
【図３】
2006006829.tif 000005
【図４】
2006006829.tif 000006
【図５】
2006006829.tif 000007